(57)【要約】  【課題】利用者の好むカラオケ楽曲の年代を特定でき、さらに、その年代の範疇にはどのような楽曲があるのかを容易かつ効率的に利用者に知らしめることができる電子目次本機能付きカラオケリモコン装置の提供。  【解決手段】所定の検索モードによる検索にてヒットしたカラオケ楽曲の中から、利用者が任意のカラオケ楽曲を指定した状態で年代別データ抽出操作を行った場合、当該指定楽曲に属する年代別データを一覧表示する機能をカラオケリモコン装置に付帯させた。【選択図】図５
2005283805.tif 000002
【特許請求の範囲】
【請求項１】
利用者が所望するカラオケ楽曲の検索機能や対応するカラオケ演奏装置への当該カラオケ楽曲の予約登録機能を有する電子目次本機能付きカラオケリモコン装置において、
年代別データとその抽出機能を備えてなり、対応するカラオケ演奏装置へカラオケ楽曲を予約登録する際、所定の検索モードによる検索にてヒットしたカラオケ楽曲の中から、利用者が任意のカラオケ楽曲を指定した状態で前記年代別データ抽出操作を行った場合、当該指定楽曲に属する年代別データを一覧表示させる機能を有してなるカラオケリモコン装置。
【請求項２】
前記所定の検索モードが曲名検索モードである請求項１記載のカラオケリモコン装置。
【発明の詳細な説明】
【技術分野】
【０００１】
本発明は、電子目次本機能付きカラオケリモコン装置に関し、さらに詳しくは、利用者の好む年代のカラオケ楽曲を容易に選曲できるカラオケリモコン装置に関する。
【背景技術】
【０００２】
最近のカラオケシステムで利用される電子目次本機能付きカラオケリモコン装置は、ノート型パソコンやパームトップ型パソコンに類似したコンピュータ応用機器として製品化されており、その内蔵するハードディスクや不揮発性メモリなどの外部記憶には、その対応するカラオケ演奏装置におけるカラオケ楽曲データベースが収納するカラオケ楽曲についての属性情報を格納し、これを楽曲索引データベースとして管理している。この楽曲索引データベースに与えられる検索キーワードの属性情報に応じて、新譜検索、曲名検索、歌手名検索、グループ検索、デュエット検索、ジャンル検索、あの頃検索などといった様々な検索モードが備えられている。
【０００３】
利用者が入力した検索キーワードを属性情報に関するクエリーとして、楽曲索引データベースを用いて検索すると、ヒットしたカラオケ楽曲について、その曲名や歌手名あるいは楽曲ＩＤコードなどの属性情報を伴って一覧表示される。そして、利用者が所望するカラオケ楽曲が最終的に指定されたならば、その楽曲のＩＤコードを演奏予約のためのリモコン信号として所定のカラオケ演奏装置に転送し、カラオケ演奏装置がこのリモコン信号を受信すると、その信号に含まれている楽曲ＩＤコードは演奏予約の待ち行列として管理され、ピックアップされた楽曲ＩＤコードに対応するカラオケ楽曲が順次演奏される。
【０００４】
このような電子目次本機能付きカラオケリモコン装置に関しては、従来、特にその検索機能についての発明が多々想到されてきた。例えば、特許文献１では、かな文字入力による曲名もしくは歌手名による検索により充分に楽曲を絞り込むことができなかった場合、曲名もしくは歌手名により既に選出した楽曲に対し、さらに年代などの属性により楽曲を絞り込むこともできるようにした技術が開示されている。また、特許文献２では、利用者入力によりアーティスト名が特定された場合、楽曲アルバムデータベースを用いて、各アルバムジャケット画像をアルバムタイトルと一緒に一覧表示し、利用者が所望する楽曲アルバムが特定されると、その楽曲アルバムに収録されている楽曲のタイトルを一覧表示する技術が開示されている。さらに、特許文献３では、検索条件となる年代を特定する際、利用者の現在の年齢または生まれた年代を入力すると共に、検索対象となる年代が利用者にとって何歳時あるいは何年生時かを入力すると、これらの入力に基づき、検索対象となる年代を特定する技術が開示されている。
【特許文献１】特開２０００−０９９０４８号公報
【特許文献２】特開２００２−３５１４７９号公報
【特許文献３】特開２００３−１４０６６９号公報
【発明の開示】
【発明が解決しようとする課題】
【０００５】
ところで、電子目次本機能付きカラオケリモコン装置を用いて、利用者が所望するカラオケ楽曲を指定する場合、利用者は自分の好む年代からカラオケ楽曲を選曲する場合がある。例えば、図７は年代別データを付帯したカラオケリモコン装置の年代検索モードによる検索手順を示す表示画面である。この年代検索モードのトップ画面（Ｄ８）には、「あの頃検索」と称された年代検索用のアイコン（２６）が設けられ、さらに、これには「年代で調べる」アイコン（２６ａ）と「年齢で調べる」アイコン（２６ｂ）とが併設されており、前者は年代を暦年から直接的に特定し、後者は利用者の当時の年齢から間接的に特定するためのものである。
【０００６】
例えば、利用者が「年代で調べる」アイコン（２６ａ）を選択しタッチすると、その検索画面（Ｄ９）が表出し、利用者は暦年入力部（２７）に暦年をアラビア文字で入力し、さらに、利用者は関連情報選択部（２８）から所望の関連情報を選択できる。この年代関連情報とは、例えば、「１９８０年発表」というように、特定の事柄とその事柄に関連する年代との組み合わせであり、本実施例では、所定の事柄として「ヒット曲」と「赤白歌合戦出場曲」があり、その事柄に関連する年代が対応付けされている。そして、条件が設定された状態で、利用者が「探したい」アイコン（２９）をクリックすると、その年代に対応したカラオケ楽曲が一覧表示される。
【０００７】
利用者の好む楽曲の年代は個人によってだいたい決まっているものであり、このような年代検索モードは、カラオケ利用者にとって、特に思い出の曲をリクエストしたい場合には重宝な検索モードとなっている。しかしながら、そのような年代のカラオケ楽曲を歌唱したくても、最近の曲ならばともかく古い曲であると、その楽曲がどの年代に属しているかがよく分からず、当然、利用者の好む年代にどのような楽曲があるのかも分からないといった不都合が生じてしまう。
【０００８】
そこで、本発明は、上記不都合を解消するために想到されたもので、すなわち、利用者の好むカラオケ楽曲の年代を特定でき、さらに、その年代の範疇にはどのような楽曲があるのかを容易かつ効率的に利用者に知らしめることができる電子目次本機能付きカラオケリモコン装置の提供を課題とする。
【課題を解決するための手段】
【０００９】
上記課題を鑑み、本発明者は、所定の検索モード、好ましくは曲名検索モードによる検索にてヒットしたカラオケ楽曲の中から、利用者が任意のカラオケ楽曲を指定した状態で年代別データ抽出操作を行った場合、当該指定楽曲に属する年代別データを一覧表示する機能をカラオケリモコン装置に付帯させることで、上記課題を解決できることを見出し、本発明の電子目次本機能付きカラオケリモコン装置を想到した。
【００１０】
すなわち、本発明の請求項１記載のカラオケリモコン装置は、利用者が所望するカラオケ楽曲の検索機能や対応するカラオケ演奏装置への当該カラオケ楽曲の予約登録機能を有する電子目次本機能付きカラオケリモコン装置において、
年代別データとその抽出機能を備えてなり、対応するカラオケ演奏装置へカラオケ楽曲を予約登録する際、所定の検索モードによる検索にてヒットしたカラオケ楽曲の中から、利用者が任意のカラオケ楽曲を指定した状態で年代別データ抽出操作を行った場合、当該指定楽曲に属する年代別データを一覧表示させる機能を有してなることを特徴とする。
【００１１】
また、本発明の請求項２記載のカラオケリモコン装置は、請求項１記載のカラオケリモコン装置において、前記所定の検索モードが曲名検索モードであることを特徴とする。
【発明の効果】
【００１２】
したがって、本発明の請求項１記載のカラオケリモコン装置によれば、利用者の好むカラオケ楽曲を所定の検索モードによって検索し、利用者は、その楽曲を指定した状態で年代別データ抽出操作を行うだけで、当該指定楽曲と同じ年代に属するカラオケ楽曲を一覧表示できるため、利用者の好むカラオケ楽曲の年代を特定でき、また、その年代の範疇にはどのような楽曲があるのかを容易かつ効率的に利用者に知らしめることができるといった効果を奏する。
【００１３】
また、本発明の請求項２記載のカラオケリモコン装置によれば、利用者は、好きなカラオケ楽曲いわゆる「持ち歌」については、当然、その曲名を覚えていることから、通常、曲名検索モードを多く利用する傾向があり、また、この曲名検索モードを利用すれば、直接的に利用者の好きなカラオケ楽曲を指定できるため、さらに効率よく、利用者の好むカラオケ楽曲の年代を特定でき、また、その年代の範疇にはどのような楽曲があるのかを利用者に知らしめることができるといった効果を奏する。
【発明を実施するための最良の形態】
【００１４】
以下、本発明の電子目次本機能付きカラオケリモコン装置について、最適な実施例を挙げ、本発明を詳述する。
【実施例１】
【００１５】
図１は本発明の一実施例におけるカラオケリモコン装置の概略的外観図であり、（イ）は正面斜視図、（ロ）は背面斜視図である。先ず、（イ）に示すように、本実施例におけるカラオケリモコン装置（１）の本体（２）のサイズは両手を軽く開いた状態で持てる程度のもので、その形状は湾曲部を備えた略矩状のものである。そして、表示手段としては液晶ディスプレイ（以下、ＬＣＤと称す：３）が設けられ、このＬＣＤ（３）にはタッチセンサ方式の操作パネル（３ａ）が装着されている。さらに、本体正面の略上端部には、所定のカラオケ演奏装置に楽曲ＩＤコードなどを予約登録するために使用する発光ダイオードからなる赤外線転送部（以下、ＬＥＤと称す：図示省略）が設けられている。一方、（ロ）に示すように、本体背面の下端部には、カラオケリモコン装置（１）の二次電池に電力供給をするための充電器とデータの同期処理器を兼用した充電ステーション（通称「クレードル」）に装着接続したり、ＲＳ２３２Ｃ規格のデータ通信を行うための接続端子（５）が設けられている。
【００１６】
次に、図２に示す、カラオケリモコン装置の概略的ブロック構成図に基づき、本発明のカラオケリモコン装置の構造について詳述する。
【００１７】
本実施例のカラオケリモコン装置（１）は、ＬＣＤ（３）、操作パネル（３ａ）、操作制御手段（４）、接続端子（５）、中央制御手段（６）、通信インタフェイス（７）、フラッシュメモリ（８）、ＬＥＤ（９）などを主な構成要件としている。そして、外部記憶として機能するフラッシュメモリ（８）には、対応するカラオケ演奏装置（Ｐ）にて利用可能な各カラオケ楽曲について、それぞれの曲名データ、歌手名データ、歌詞の唄い出し部データ、そして、本発明に必要となる年代別データといった各種データが、楽曲の属性情報として楽曲ＩＤコードに対応付けして格納されており、所定の検索エンジンと共に楽曲索引データベース（８ａ）を構築している。また、カラオケリモコン装置（１）がクレードル（ＣＲ）に装着された状態で、中央制御手段（６）は、通信インタフェイス（７）を介してカラオケ演奏装置（Ｐ）と通信し、新規のカラオケ楽曲についての属性情報などをダウンロードしてフラッシュメモリ（８）に格納することで、この楽曲索引データベース（８ａ）は適時に更新される。
【００１８】
さらに、中央制御手段（６）は、操作パネル（３ａ）からの操作入力情報を操作制御手段（４）を介して受け取ると、内部のＲＯＭ（図示省略）に用意されている画像データやこの画像データに操作入力情報に応じた処理結果を反映させた画像データをビデオＲＡＭ（図示省略）にビットマップ展開すると共に、ＬＣＤドライバ（図示省略）を制御してこのビットマップ画像をＬＣＤ（３）に表示出力させる。それによって、カラオケリモコン装置（１）は利用者にＧＵＩ環境を提供し、中央制御手段（６）が利用者とのＧＵＩ環境による対話を通じて楽曲索引データベース（８ａ）を検索し、その検索結果を表示出力させることで検索機能を実現している。
【００１９】
そして、中央制御手段（６）は、この検索機能によって最終的に１つのカラオケ楽曲を指定した状態で、その楽曲を演奏予約する旨の利用者入力があれば、該当の楽曲ＩＤコードを含んだ信号を生成し、その信号をＬＥＤドライバ（図示省略）に転送する。ＬＥＤドライバは、この信号を変調してＬＥＤ（９）に与えて、対応するカラオケ演奏装置（Ｐ）に演奏予約のための無線信号（Ｉｒ信号）としてこれを転送する。カラオケ演奏装置（Ｐ）は受け付けた楽曲ＩＤコードを演奏予約の待ち行列に登録し、この楽曲ＩＤコードに対応するカラオケ楽曲を順次演奏する。
【００２０】
本発明のカラオケリモコン装置においては、利用者の指定楽曲に属する年代別データの抽出やその一覧表示に関する制御については中央制御手段が行い、その制御機構は、年代別データを蓄積した従来の楽曲索引データベースを利用できると共に、当該年代別データをキーとしたリンクシステムのソフト上の追加ないし変更にて、比較的容易に構築することができる。
【００２１】
以下、図３から図６に示す、本発明のカラオケリモコン装置の表示画面に基づき、本発明をさらに詳述する。
【００２２】
図３および図４は、それぞれ曲名検索モードによる検索手順を示すカラオケリモコン装置の表示画面である。図３に示すように、検索条件の選択画面（Ｄ１）には、新譜検索、曲名検索、歌手名検索、グループ検索、デュエット検索、ジャンル検索、あの頃検索などといった様々な検索モードを選択するためのアイコン列（１０）が設けられている。曲名検索モードで楽曲索引データベースを利用するためには、このアイコン列（１０）から曲名検索モードを選択する必要がある。具体的には、利用者が曲名検索モードに対応するアイコン（１０ａ）をタッチすればよい。
【００２３】
すると、曲名検索モードの検索画面（Ｄ２）が表出され、この表出画面が曲名検索モードである旨が表示（１３）される。本実施例の曲名検索モードの検索画面（Ｄ２）では、利用者の好きなカラオケ楽曲の曲名をキーワード入力する際、画面中央部に五十音順に整列された平仮名表示アイコン列（１２）を用い、画面上部の検索用キーワード入力部（１４）には任意の平仮名表示アイコン（１２）を選択して入力するようになっている。
【００２４】
この時、利用者は曲名を完全に覚えている必要はなく、また、曲名を完全に覚えていても全ての文字列を入力する必要もなく、通常は、曲名の部分文字列を入力し、この条件にての検索により、ヒットしたカラオケ楽曲から間接的に所望の楽曲を指定する。本実施例では、検索用キーワード入力部（１４）に、利用者の好きなカラオケ楽曲の曲名の頭部分である「あいの」（愛の）を入力した場合の検索入力画面が表示されている。そして、利用者が「さがす」アイコン（１５）にタッチすると、入力済みの部分文字列を条件に、楽曲索引データベースをもって曲名が照会される。
【００２５】
曲名がヒットされて検索結果が出ると、次に、図４に示すように、検索結果表示画面（Ｄ３）が表出される。この検索結果表示画面（Ｄ３）では、上記検索用キーワード入力部（１４）で入力された「あいの」で始まる曲名の検索条件に基づきヒットした楽曲情報（曲名・歌手名）を含む検索結果一覧（１６）が表示される。本実施例では複数ページに亘って表示され、この検索結果表示画面（Ｄ３）に示すのは第１ページ目の画面である。
なお、この検索結果表示画面（Ｄ３）については、この曲名検索モードに限らず、新譜検索、歌手名検索、グループ検索、デュエット検索、ジャンル検索、あの頃検索などといった様々な検索モードによる検索でも略同様な形式にて表示されるものである。
【００２６】
そして、その検索結果一覧（１６）の中から、利用者が所望する楽曲指定用アイコン（１６ａ）をタッチすると、曲名、歌手名、唄い出し部、年代といった属性情報列（１７）からなる楽曲の属性情報表示画面（Ｄ４）が表出される。この画面（Ｄ４）が表出している状態とは、利用者が任意のカラオケ楽曲を指定した状態であり、この状態で「転送」アイコン（１９）にタッチすると、対応するカラオケ演奏装置に、この指定楽曲の演奏予約のための無線信号が転送される。
【００２７】
そして、利用者が自分の好むカラオケ楽曲が属する好きな年代を特定し、また、その年代の範疇にはどのような楽曲があるのかを知るためには、利用者が年代別データ抽出操作を行えばよい。具体的には、指定楽曲の属性情報表示画面（Ｄ４）が表出している状態で、その属性情報列（１７）の一つである年代表示部（１７ａ）に設けられた「一覧表示」アイコン（１８）に利用者がタッチすればよい。
【実施例２】
【００２８】
なお、本発明はこれに限定されず、例えば、図６には年代別データの他の一覧表示操作方法が示されているが、その表示画面（Ｄ７）では、利用者は、先ず、「同年代一覧」アイコン（２５）にタッチした後に、続けて検索結果一覧（２４）の中から、利用者が所望する楽曲指定用アイコン（２４ａ）をタッチして楽曲を指定すればよい。この場合でも、利用者が任意のカラオケ楽曲を指定した状態で年代別データ抽出操作を行ったことになるが、この場合では、上記指定楽曲の属性情報表示画面（Ｄ４）を表出させる必要はない。
【００２９】
次に、図５に示す、利用者の指定楽曲に属する年代別データの一覧表示画面に基づき、当該年代別データの一覧表示例について詳述する。
【００３０】
利用者が上記の如くの年代別データ抽出操作を行うと、その指定楽曲に属する年代別データの一覧表示画面（Ｄ５）が表出される。この画面（Ｄ５）には、年代表示部（２０）が設けられ、その表示部（２０）には、本実施例では、指定楽曲が「１９８１年代」に含まれることが明記され、さらに、その年代の範疇にはどのような楽曲があるのかが、年代別データ一覧（２１）により利用者は明瞭に分かる。なお、この画面（Ｄ５）からでも、上記画面（Ｄ３）と同様に、その年代別データ一覧（２１）の中から、利用者が所望する楽曲指定用アイコン（２１ａ）をタッチすると、曲名、歌手名、唄い出し部、年代といった属性情報列（２２）からなる楽曲の属性情報表示画面（Ｄ６）を表出できる。
【００３１】
なお、この属性情報表示画面（Ｄ６）では、既に利用者が年代を知り得たため、その属性情報列（２２）の一つである年代表示部（２２ａ）には、上記属性情報表示画面（Ｄ４）にあるような「一覧表示」アイコンは設けられていない。ただし、上記属性情報表示画面（Ｄ４）と同様、「転送」アイコン（２３）が設けられており、利用者がこの「転送」アイコン（２３）にタッチすると、対応するカラオケ演奏装置に、この指定楽曲の演奏予約のための無線信号が転送される。また、この属性情報表示画面（Ｄ６）から、通常の曲名検索モードの検索結果表示画面（Ｄ３）に戻りたい場合には、この画面（Ｄ６）に設けられた「もどる」アイコン（３０）にタッチして、指定楽曲と同じ年代の一覧表示画面（Ｄ５）に一旦戻り、さらに、この画面（Ｄ５）に設けられた「もどる」アイコン（３１）に再度タッチすれば、上記属性情報表示画面（Ｄ４）を経ることなく、曲名検索モードの検索結果表示画面（Ｄ３）に戻れるように設定されている。
【００３２】
以上、詳述したように、本発明の電子目次本機能付きカラオケリモコン装置によれば、所定の検索モードによる検索にてヒットしたカラオケ楽曲の中から、利用者の好むカラオケ楽曲を指定した状態で年代別データ抽出操作を行った場合、当該指定楽曲に属する年代別データを一覧表示できることで、利用者の好むカラオケ楽曲の年代を特定でき、また、その年代の範疇にはどのような楽曲があるのかを容易かつ効率的に利用者に知らしめることができる。
【図面の簡単な説明】
【００３３】
【図１】本発明のカラオケリモコン装置の概略的外観図。
【図２】カラオケリモコン装置の概略的ブロック構成図。
【図３】曲名検索モードによる検索手順を示す表示画面。
【図４】曲名検索モードによる検索手順を示す表示画面。
【図５】指定楽曲に属する年代別データの一覧表示画面。
【図６】年代別データの他の一覧表示操作方法を示す表示画面。
【図７】年代検索モードによる検索手順を示す表示画面。
【符号の説明】
【００３４】
１  カラオケリモコン装置
６  中央制御手段
８  フラッシュメモリ
８ａ  楽曲索引データベース
１６  検索結果一覧
１７，２２  属性情報列
１７ａ  年代表示部
１８  「一覧表示」アイコン
１９  「転送」アイコン
２０  年代表示部
２１  年代別データ一覧
１６ａ，２１ａ，２４ａ  楽曲指定用アイコン
Ｄ１  検索条件の選択画面
Ｄ２  曲名検索モードの検索画面
Ｄ３  検索結果表示画面
Ｄ４，Ｄ６  属性情報表示画面
Ｄ５  指定楽曲に属する年代別データの一覧表示画面
Ｄ７  年代別データの他の一覧表示画面
【図１】
2005283805.tif 000003
【図２】
2005283805.tif 000004
【図３】
2005283805.tif 000005
【図４】
2005283805.tif 000006
【図５】
2005283805.tif 000007
【図６】
2005283805.tif 000008
【図７】
2005283805.tif 000009